(57)【要約】  【課題】  ネットワークを介して料理レシピデータを提供するデータ提供方法、データ提供システム及びデータ提供装置、該データ提供装置が提供する料理レシピデータを再生するデータ再生方法を提供する。  【解決手段】  コンテンツ提供装置１は、複数の料理過程のそれぞれに対応する表示用データ及び音声データと、各料理過程間のそれぞれに再生中断指示命令とを有する料理レシピデータを料理所要時間に基づいて提供する。料理レシピデータを再生する携帯電話器２のシステムコントロール部２０は、各料理過程に対応する表示用データ及び音声データを再生させ、この再生が終了した場合、再生中断指示命令に従って料理レシピデータの再生処理を中断する。システムコントロール部２０は、中断した再生処理のユーザからの再開指示を受け付けた場合、料理レシピデータの再生処理を再開し、次の料理過程に対応する表示用データ及び音声データを再生させる。【選択図】      図２
2006072559.tif 000002
【特許請求の範囲】
【請求項１】
料理レシピデータを記憶部に記憶してあるデータ提供装置が、通信装置からの要求に応じてネットワークを介して料理レシピデータを提供するデータ提供方法において、
前記データ提供装置は、料理所要時間毎に複数の料理レシピデータを前記記憶部に記憶しており、
前記通信装置が、
料理所要時間に基づいて料理レシピデータを前記データ提供装置に要求し、
前記データ提供装置が、
要求された料理所要時間に対応した料理レシピデータを前記通信装置に提供することを特徴とするデータ提供方法。
【請求項２】
前記料理レシピデータは、複数の料理過程に分割されており、それぞれの料理過程に対応した表示用データ及び音声データを有することを特徴とする請求項１に記載のデータ提供方法。
【請求項３】
ネットワークに接続される通信装置が、前記ネットワークを介して取得した料理レシピデータを再生するデータ再生方法において、
前記通信装置が、
複数の料理過程に分割され、各料理過程間のそれぞれに再生中断指示を有する料理レシピデータを前記ネットワークを介して受信し、
受信した料理レシピデータの再生処理を行ない、
それぞれの料理過程の再生終了の都度、前記再生中断指示に従って前記再生処理を中断し、
中断した前記再生処理の再開指示を受け付けた場合、前記再生処理を再開することを特徴とするデータ再生方法。
【請求項４】
前記通信装置は、音声入力部を備えており、
前記音声入力部から所定の音声が入力されることにより、中断した再生処理の再開指示を受け付けることを特徴とする請求項３に記載のデータ再生方法。
【請求項５】
料理レシピデータを記憶部に記憶してあるデータ提供装置が、通信装置からの要求に応じてネットワークを介して料理レシピデータを提供するデータ提供方法において、
前記データ提供装置は、料理所要時間毎に、複数の料理過程に分割され、各料理過程間のそれぞれに再生中断指示を有する料理レシピデータを前記記憶部に複数記憶しており、
前記通信装置が、
料理所要時間に基づいて料理レシピデータを前記データ提供装置に要求し、
前記データ提供装置が、
要求された料理所要時間に対応した料理レシピデータを前記通信装置に提供し、
前記通信装置が、
前記データ提供装置から提供された料理レシピデータの再生処理を行ない、
それぞれの料理過程の再生終了の都度、前記再生中断指示に従って前記再生処理を中断し、
中断した前記再生処理の再開指示を受け付けた場合、前記再生処理を再開することを特徴とするデータ提供方法。
【請求項６】
記憶部に記憶してある料理レシピデータをネットワークを介して提供するデータ提供装置と、前記ネットワークを介して料理レシピデータを要求する通信装置とを備えるデータ提供システムにおいて、
前記データ提供装置は、料理所要時間毎に、複数の料理過程に分割され、各料理過程間のそれぞれに再生中断指示を有する料理レシピデータを前記記憶部を複数記憶しており、
要求された料理所要時間に対応した料理レシピデータを前記通信装置に提供する手段を備え、
前記通信装置は、
料理所要時間に基づいて料理レシピデータを前記データ提供装置に要求する手段と、
前記データ提供装置から提供された料理レシピデータの再生処理を行なう再生手段と、
該再生手段が再生処理を行なうそれぞれの料理過程の再生終了の都度、前記再生中断指示に従って前記再生処理を中断する手段と、
中断した前記再生処理の再開指示を受け付けた場合、前記再生処理を再開する手段とを備えることを特徴とするデータ提供システム。
【請求項７】
ネットワークとの接続を行なう接続部と、
料理所要時間毎に複数の料理レシピデータを記憶する記憶部と、
料理所要時間に基づいて、前記記憶部に記憶してある料理レシピデータの要求を受け付ける要求受付手段と、
該要求受付手段が受け付けた要求に対応する料理レシピデータを料理所要時間に基づいて前記記憶部に記憶してある料理レシピデータから検索する検索手段と
を備えることを特徴とするデータ提供装置。
【請求項８】
前記検索手段が検索した料理レシピデータからの選択を受け付ける選択受付手段と、
該選択受付手段が受け付けた選択に対応する料理レシピデータを前記接続部から提供する手段とを備えることを特徴とする請求項７に記載のデータ提供装置。
【発明の詳細な説明】
【技術分野】
【０００１】
本発明は、ネットワークを介して料理レシピデータを提供するデータ提供方法、データ提供システム及びデータ提供装置、該データ提供装置が提供する料理レシピデータを取得した通信装置が再生するデータ再生方法に関する。
【背景技術】
【０００２】
昨今では、ＰＤＡ（Personal Digital Assistant）を代表としたモバイルコンピュータ、携帯電話器、及びＰＨＳ（Personal Handy phone System）電話器等の携帯端末装置における多機能化、表示画面の大型化及び高解像度化が著しく、このような携帯端末装置にネットワークを介して各種のデータを提供するシステムが構築されている。携帯電話器での利用が可能なシステムとしては、例えば、株式会社エヌ・ティー・ティー・ドコモが提供するｉモード（登録商標）、ボーダフォン株式会社が提供するボーダフォンライブ（登録商標）、ＫＤＤＩ株式会社が提供するＥＺｗｅｂ（登録商標）等のサービスがあり、それぞれのサービスに対応した携帯電話器を用いることにより、ｉモード用、ボーダフォンライブ用又はＥＺｗｅｂ用の各種コンテンツの提供を受けることができる。
【０００３】
上述したサービスで提供されるコンテンツには、待ち受け画面用の画像データ、携帯電話器に電話又はメールが着信したときにその旨をユーザに知らせるための音声データ等があり、最近では、画像データ及び音声データからなるコンテンツの提供が盛んに行なわれている。画像データ及び音声データからなるコンテンツとしては、料理品が出来上がるまでの料理手順について、各材料、各材料の分量、各材料の料理方法等を示す画像データ及び音声データからなる料理レシピデータがある。
【０００４】
このような料理レシピデータの提供を受けることにより、ユーザは料理本を購入して保管しておく必要がなく、必要なときに必要な料理レシピデータだけを取得することができる。料理レシピデータを提供された携帯電話器は、取得した料理レシピデータ中の画像データを表示部に表示させ、音声データをスピーカから音声出力させる。これにより、ユーザは、携帯電話器の表示部に表示された料理手順を見つつスピーカから出力される音声に従って料理することができる。
【０００５】
料理レシピデータを携帯電話器へ提供するシステムとしては、以下の特許文献１に示すものがある。特許文献１に係る提供システムが提供する料理レシピデータを携帯電話器で再生させた場合、複数の料理過程のそれぞれに対応する画像データ及び音声データが所定の順序で表示及び音声出力されるため、料理するユーザは、順次表示及び音声出力される画像データ及び音声データに従って各料理過程の作業を行なうことができ、所望の料理品を完成させることができる。
【特許文献１】特開２００２−６３１７８号公報
【発明の開示】
【発明が解決しようとする課題】
【０００６】
しかし、特許文献１に係る提供システムが提供する料理レシピデータは、それぞれの料理過程に対応する画像データ及び音声データを予め設定された時間間隔で表示及び音声出力するように構成されており、各ユーザの料理の手際は考慮していないため、各ユーザが自身のペースで料理することが困難であるという問題がある。従って、料理が得意でないユーザは所定時間内に各作業を終了することができずに次の手順の画像データ及び音声データの表示及び音声出力が開始されてしまい、料理が得意なユーザは次の作業に移るまでに時間が余ってしまう虞がある。
【０００７】
本発明は、斯かる問題に鑑みてなされたものであり、その目的とするところは、複数の料理過程に分割されており、各料理過程の再生が終了する都度、再生処理が一旦中断し、ユーザが自身のペースで中断した再生処理を再開させることが可能な料理レシピデータを提供するデータ提供方法、データ提供システム及びデータ提供装置を提供することにある。
【０００８】
本発明の他の目的は、料理所要時間に基づいて料理レシピデータの要求を受け付けることにより、要求された料理所要時間に対応した料理レシピデータを提供することが可能なデータ提供方法、データ提供システム及びデータ提供装置を提供することにある。
【０００９】
更に、本発明の他の目的は、複数の料理過程に分割されている料理レシピデータを再生した場合に各料理過程の再生が終了する都度、再生処理が一旦中断し、ユーザからの再開指示を受け付けた場合に中断していた再生処理を再開させることにより、ユーザが自身のペースで料理レシピデータにおける各料理過程を再生させることが可能なデータ再生方法を提供することにある。
【課題を解決するための手段】
【００１０】
上記課題を解決するために第１発明に係るデータ提供方法は、料理レシピデータを記憶部に記憶してあるデータ提供装置が、通信装置からの要求に応じてネットワークを介して料理レシピデータを提供するデータ提供方法において、前記データ提供装置は、料理所要時間毎に複数の料理レシピデータを前記記憶部に記憶しており、前記通信装置が、料理所要時間に基づいて料理レシピデータを前記データ提供装置に要求し、前記データ提供装置が、要求された料理所要時間に対応した料理レシピデータを前記通信装置に提供することを特徴とする。
【００１１】
第２発明に係るデータ提供方法は、前記料理レシピデータは、複数の料理過程に分割されており、それぞれの料理過程に対応した表示用データ及び音声データを有することを特徴とする。
【００１２】
第３発明に係るデータ再生方法は、ネットワークに接続される通信装置が、前記ネットワークを介して取得した料理レシピデータを再生するデータ再生方法において、前記通信装置が、複数の料理過程に分割され、各料理過程間のそれぞれに再生中断指示を有する料理レシピデータを前記ネットワークを介して受信し、受信した料理レシピデータの再生処理を行ない、それぞれの料理過程の再生終了の都度、前記再生中断指示に従って前記再生処理を中断し、中断した前記再生処理の再開指示を受け付けた場合、前記再生処理を再開することを特徴とする。
【００１３】
第４発明に係るデータ再生方法は、前記通信装置は、音声入力部を備えており、前記音声入力部から所定の音声が入力されることにより、中断した再生処理の再開指示を受け付けることを特徴とする。
【００１４】
第５発明に係るデータ提供方法は、料理レシピデータを記憶部に記憶してあるデータ提供装置が、通信装置からの要求に応じてネットワークを介して料理レシピデータを提供するデータ提供方法において、前記データ提供装置は、料理所要時間毎に、複数の料理過程に分割され、各料理過程間のそれぞれに再生中断指示を有する料理レシピデータを前記記憶部に複数記憶しており、前記通信装置が、料理所要時間に基づいて料理レシピデータを前記データ提供装置に要求し、前記データ提供装置が、要求された料理所要時間に対応した料理レシピデータを前記通信装置に提供し、前記通信装置が、前記データ提供装置から提供された料理レシピデータの再生処理を行ない、それぞれの料理過程の再生終了の都度、前記再生中断指示に従って前記再生処理を中断し、中断した前記再生処理の再開指示を受け付けた場合、前記再生処理を再開することを特徴とする。
【００１５】
第６発明に係るデータ提供システムは、記憶部に記憶してある料理レシピデータをネットワークを介して提供するデータ提供装置と、前記ネットワークを介して料理レシピデータを要求する通信装置とを備えるデータ提供システムにおいて、前記データ提供装置は、料理所要時間毎に、複数の料理過程に分割され、各料理過程間のそれぞれに再生中断指示を有する料理レシピデータを前記記憶部を複数記憶しており、要求された料理所要時間に対応した料理レシピデータを前記通信装置に提供する手段を備え、前記通信装置は、料理所要時間に基づいて料理レシピデータを前記データ提供装置に要求する手段と、前記データ提供装置から提供された料理レシピデータの再生処理を行なう再生手段と、該再生手段が再生処理を行なうそれぞれの料理過程の再生終了の都度、前記再生中断指示に従って前記再生処理を中断する手段と、中断した前記再生処理の再開指示を受け付けた場合、前記再生処理を再開する手段とを備えることを特徴とする。
【００１６】
第７発明に係るデータ提供装置は、ネットワークとの接続を行なう接続部と、料理所要時間毎に複数の料理レシピデータを記憶する記憶部と、料理所要時間に基づいて、前記記憶部に記憶してある料理レシピデータの要求を受け付ける要求受付手段と、該要求受付手段が受け付けた要求に対応する料理レシピデータを料理所要時間に基づいて前記記憶部に記憶してある料理レシピデータから検索する検索手段とを備えることを特徴とする。
【００１７】
第８発明に係るデータ提供装置は、前記検索手段が検索した料理レシピデータからの選択を受け付ける選択受付手段と、該選択受付手段が受け付けた選択に対応する料理レシピデータを前記接続部から提供する手段とを備えることを特徴とする。
【００１８】
第１発明、第７発明及び第８発明にあっては、料理所要時間毎に複数の料理レシピデータを記憶部に記憶してあるデータ提供装置が、通信装置からの料理所要時間に基づく要求に対応する料理レシピデータをネットワークを介して前記通信装置に提供する。よって、データ提供装置が提供する料理レシピデータを料理所要時間に基づいて要求することが可能となる。
【００１９】
第２発明及び第３発明にあっては、ネットワークを介してデータ提供装置が提供する料理レシピデータは、複数の料理過程に分割され、各料理過程間のそれぞれに再生中断指示を有しており、前記料理レシピデータを取得した通信装置が、受信した料理レシピデータの再生処理を行なった場合、それぞれの料理過程の再生終了の都度、前記再生中断指示に従って前記再生処理を中断し、中断した前記再生処理の再開指示を受け付けた場合、前記再生処理を再開する。よって、料理レシピデータが有する各料理過程の再生が終了した場合に当該料理レシピデータの再生処理が中断され、再開指示を受け付けた場合に、中断された前記再生処理を再開させることが可能となる。
【００２０】
第４発明にあっては、データ提供装置から料理レシピデータを提供される通信装置が音声入力部を備え、音声入力部から所定の音声が入力された場合に、中断された再生処理の再開指示を受け付けたとする。よって、料理レシピデータの各料理過程の再生終了の都度、中断される再生処理を、所定の音声が入力されることによって再開することが可能となり、所定の音声を発することにより料理レシピデータの各料理過程を順次再生することが可能となる。
【００２１】
第５発明及び第６発明にあっては、料理所要時間毎に、複数の料理過程に分割されて各料理過程間のそれぞれに再生中断指示を有する料理レシピデータを記憶部に複数記憶しているデータ提供装置が、通信装置からの料理所要時間に基づく要求に対応する料理レシピデータを前記通信装置に提供する。また、前記料理レシピデータを取得した通信装置が、取得した料理レシピデータの再生処理を行なった場合、それぞれの料理過程の再生終了の都度、前記再生中断指示に従って前記再生処理を中断し、中断した前記再生処理の再開指示を受け付けた場合、前記再生処理を再開する。よって、料理レシピデータが有する各料理過程の再生が終了した場合に当該料理レシピデータの再生処理が中断され、再開指示を受け付けた場合に前記再生処理を再開させることが可能となる。
【発明の効果】
【００２２】
第１発明、第７発明及び第８発明によれば、料理所要時間毎に複数の料理レシピデータを記憶部に記憶してあるデータ提供装置が、通信装置からの料理所要時間に基づく要求に対応する料理レシピデータをネットワークを介して前記通信装置に提供する。よって、
ユーザは、料理所要時間に基づいて所望の料理レシピデータを要求することができ、データ提供装置は、料理所要時間に基づいた料理レシピデータの提供を行なうことができる。
【００２３】
第２発明及び第３発明によれば、ネットワークに接続されるデータ提供装置が、複数の料理過程に分割され、各料理過程間のそれぞれに再生中断指示を有する料理レシピデータをネットワークを介して提供する。前記料理レシピデータを取得した通信装置は、受信した料理レシピデータの再生処理を行なった場合、それぞれの料理過程の再生終了の都度、前記再生中断指示に従って前記再生処理を中断し、中断した前記再生処理の再開指示を受け付けた場合、前記再生処理を再開する。よって、料理レシピデータが有する各料理過程の再生が終了する都度、当該料理レシピデータの再生処理が中断され、ユーザからの再開指示を受け付けた場合に、中断された前記再生処理を再開させるため、ユーザは、自身のペースで再開指示を行なえばよく、順次再生される料理レシピデータに基づいて自身のペースで料理することができる。
【００２４】
第４発明によれば、データ提供装置から料理レシピデータを提供される通信装置が音声入力部を備え、音声入力部から所定の音声が入力された場合に、中断された再生処理の再開指示を受け付けたとする。よって、料理レシピデータの各料理過程の再生終了の都度、中断される再生処理を、所定の音声が入力されることによって再開することができ、ユーザは、所定の音声を発することにより料理レシピデータの各料理過程を順次再生することができる。これにより、ユーザは、通信装置を操作することなく、自身のペースで所定の音声を発すればよく、料理作業を衛生的且つ効率良く行なうことができる。
【００２５】
第５発明及び第６発明によれば、料理所要時間毎に、複数の料理過程に分割されて各料理過程間のそれぞれに再生中断指示を有する料理レシピデータを記憶部に複数記憶しているデータ提供装置が、通信装置からの料理所要時間に基づく要求に対応する料理レシピデータを前記通信装置に提供する。また、前記料理レシピデータを取得した通信装置は、取得した料理レシピデータの再生処理を行なった場合、それぞれの料理過程の再生終了の都度、前記再生中断指示に従って前記再生処理を中断し、中断した前記再生処理の再開指示を受け付けた場合、前記再生処理を再開する。よって、料理レシピデータが有する各料理過程の再生が終了する都度、当該料理レシピデータの再生処理が中断され、ユーザからの再開指示を受け付けた場合に前記再生処理を再開させることができる。これにより、ユーザは、自身のペースで再開指示を行なえばよく、順次再生される料理レシピデータに基づいて自身のペースで料理することができる。
【発明を実施するための最良の形態】
【００２６】
以下に、本発明に係るデータ提供システムをその実施形態を示す図面に基づいて詳述する。
【００２７】
（実施形態１）
図１は本発明に係るデータ提供システムを利用したコンテンツ提供システムの構成例を示す模式図である。本実施形態のコンテンツ提供システム１００は、事業体が運営するコンテンツ配信サービスに加入したユーザが有する通信装置である携帯電話器２ａ〜２ｍへ、要求されたコンテンツ（料理レシピデータ）を提供するものである。本実施形態では、本発明のデータ提供装置としてのコンテンツ提供装置１は、料理品が出来上がるまでの料理手順を複数の料理過程に分割し、各料理過程に対応して材料、各材料の分量、各材料の料理方法等を示す表示用データ及び音声データを有する料理レシピデータを提供するものとして説明する。なお、表示用データとは、例えば、画像データ、テキストデータ等である。
【００２８】
コンテンツ提供システム１００は、コンテンツ配信サービスを運営する事業体によって管理されるコンテンツ提供装置１と、多数の携帯電話器２ａ〜２ｍのそれぞれとの無線接続を行なう多数の中継基地局４ａ〜４ｎとを夫々ネットワーク３に接続した構成としている。なお、以下では、多数の携帯電話器２ａ〜２ｍをまとめて携帯電話器２と記載し、多数の中継基地局４ａ〜４ｎをまとめて中継基地局４と記載して説明する。
【００２９】
コンテンツ配信サービスへの加入は、各ユーザが所定の店舗において申し込みを行なう、又は各ユーザが携帯電話器２でコンテンツ提供装置１がネットワーク３上で公開するＷｅｂサイトで申し込みを行なうことで行なわれ、この申し込みにより各携帯電話器２が有する固有の識別データ（電話番号に相当）がコンテンツ提供装置１で管理される。
【００３０】
以下に、本実施形態のコンテンツ提供システム１００におけるコンテンツ提供装置１及び携帯電話器２の内部構成について説明する。図２は本実施形態のコンテンツ提供装置１及び携帯電話器２の内部構成例を示すブロック図である。携帯電話器２は、システムコントロール部２０、第１メモリ部２１、第２メモリ部２２、音声入力部２３、音声出力部２４、表示部２５、操作部２６、通信部２７等を備えており、それぞれはバス２ａで相互に接続されている。
【００３１】
システムコントロール部２０は、ＣＰＵ（Central Processing Unit ）又はＭＰＵ（Micro Processor Unit）等により構成されており、バス２ａを介して接続される上述したようなハードウェア各部を制御すると共に、第１メモリ部２１に予め格納されている制御プログラムに従って所定の動作を実行する。
【００３２】
第１メモリ部２１は、ＲＯＭ又はフラッシュメモリ等により構成されており、システムコントロール部２０が行なう制御内容を規定した制御プログラムを各種記憶している。本実施形態では、所望のＷｅｂサイトに接続する通信プログラム、Ｗｅｂサイトの画像閲覧処理に係るブラウザプログラム等が第１メモリ部２１に記憶されている。第２メモリ部２２は、ＲＡＭ又はフラッシュメモリ等により構成されており、システムコントロール部２０による制御プログラムの実行時に発生するデータ、所望のＷｅｂサイトから取得した料理レシピデータ等を記憶する。また、第１メモリ部２１は携帯電話器２が有する各種機能を選択できるようにするメニュー画像、携帯電話器２の機種情報（機種名）、及び携帯電話器２の電話番号等も記憶している。
【００３３】
音声入力部２３はマイクに相当するものであり、携帯電話器２が電話器として使用される際にユーザが話した音声を取得して通信部２７へ伝送する処理を行なう。音声出力部２４は音声増幅回路及びスピーカ等を備えており、携帯電話器２が電話器として使用される際に着信音及び通話先からの通話音を出力する。なお、本実施形態では、音声出力部２４は、コンテンツ提供装置１から提供される料理レシピデータに含まれる音声データを再生する再生手段として動作する。
【００３４】
表示部２５は、システムコントロール部２０の制御に基づき通信部２７で受信したＷｅｂサイト画像、操作部２６で操作入力された内容、及び第１メモリ部２１に予め記憶されているメニュー画像等の各種内容を表示する。なお、本実施形態では、表示部２５は、コンテンツ提供装置１から提供される料理レシピデータに含まれる表示用データを再生（表示）する再生手段として動作する。操作部２６は、所望のＷｅｂサイトへアクセスする際等にユーザからの操作入力を受け付ける複数のボタン、及び各種の選択処理の際に用いる確定ボタン等で構成される。
【００３５】
通信部２７は、無線通話及び無線通信に係る電波の送受信を行なうアンテナ２７ａに接続されており、システムコントロール部２０の制御により外部との通話及び通信を行なう手段であり、アンテナ２７ａを介して最寄りの中継基地局４との接続を確立する。よって、通信部２７は、携帯電話器２が電話器として使用される際は通話音声を送受し、携帯電話器２が通信器として使用される際は各種データの通信を行なう。なお、通信されるデータにはインターネットのようなネットワークで公開されるＷｅｂサイト画像、及びＷｅｂアプリケーション等がある。
【００３６】
システムコントロール部２０は上述した各部の制御を行ない、特に本実施形態では、第１メモリ部２１に記憶してある通信プログラム及びブラウザプログラムに従って料理レシピデータを提供する所望のＷｅｂサイトへアクセスして、所望の料理レシピデータを取得する制御処理を行なう。
【００３７】
このような制御処理をシステムコントロール部２０が行なうことにより携帯電話器２のユーザは、所望する料理レシピデータを取得できると共に、取得した料理レシピデータに含まれる表示用データを表示部２５で表示させ、取得した料理レシピデータに含まれる音声データを音声出力部２４から音声出力させることができる。なお、所望のＷｅｂサイトへのアクセス及び所望の料理レシピデータの取得（ダウンロード）等は、コンテンツ提供装置１との通信によって送られてくるメニュー画像等に基づきユーザからの所要の操作を操作部２６で受け付けることで行なう。
【００３８】
携帯電話器２は、一般にネットワーク上で公開されている各事業体が運営するＷｅｂサイトへ通信部２７の処理によりアクセスする場合、第１メモリ部２１に記憶してある機種名及び電話番号をアクセス先のＷｅｂサイトに係るＷｅｂサーバへ送信する仕様になっている。
【００３９】
次に、コンテンツ提供装置１の構成について説明する。コンテンツ提供装置１は、図２に示すように、制御部１０、ＲＯＭ１１、ＲＡＭ１２、ＨＤＤ（Hard Disk Drive）１３及び通信インタフェース１４等を備えており、それぞれはバス１ａで相互に接続されている。通信インタフェース（接続部）１４は、ネットワーク３と接続されてアクセス先とのデータ送受に係る通信処理を制御部１０の制御に基づき行ない、ＨＤＤ１３に記憶してある各種データをアクセス先の携帯電話器２へ送信する処理等を行なう。
【００４０】
制御部１０は、ＣＰＵ又はＭＰＵ等により構成されており、バス１ａを介して接続される上述したようなハードウェア各部を制御すると共に、ＲＯＭ１１に予め格納されている制御プログラムをＲＡＭ１２に読み出して順次実行する。ＲＯＭ１１は、制御部１０の主要処理に係る制御プログラムを予め記憶している。ＲＡＭ１２は、制御部１０による制御プログラムの実行時に発生するデータを一時的に記憶する。
【００４１】
ＨＤＤ１３には、制御部１０が行なう制御内容を規定した制御プログラム、及びアクセスしてきた外部機器である携帯電話器２の表示部２５で表示させる各種メニュー画像等を記憶している。なお、コンテンツ提供装置１から配信されてアクセス先の携帯電話器２で表示される画像の例を、後述する図４に示す。
【００４２】
ＨＤＤ１３は、図４で示すようなメニュー画像を介した携帯電話器２からの要求に応じて提供するダウンロード用の料理レシピデータと、料理レシピデータベース（以下、料理レシピＤＢという）とを記憶している。料理レシピＤＢは、図３（ａ）に示すように、ＨＤＤ１３に記憶してあるそれぞれの機種毎の料理レシピデータについて、レシピ番号、料理名、料理所要時間、ダウンロード用の料理レシピデータのデータ名等を蓄積したものである。なお、料理レシピＤＢの内容は、新たな料理レシピデータの提供が開始される都度、制御部１０の処理により更新される。
【００４３】
また、料理レシピデータは、携帯電話器２の機種名毎に、各レシピ番号に対応してＨＤＤ（記憶部）１３に記憶されている。本実施形態では、料理レシピデータは、図３（ｂ）に示すように、複数の料理過程に分割され、各料理過程のそれぞれに対応する表示用データ及び音声データを有すると共に、各料理過程間のそれぞれに再生中断指示命令を有する。従って、このような料理レシピデータを携帯電話器２が再生した場合、システムコントロール部２０はまず、料理レシピデータの第１料理過程に対応する表示用データ及び音声データを表示部１５及び音声出力部２４によって再生（表示及び音声出力）させ、この再生が終了した場合、再生中断指示命令に従って、料理レシピデータの再生処理を中断する。
【００４４】
システムコントロール部２０は、中断した再生処理のユーザからの再開指示を操作部２６を介して受け付けた場合に、料理レシピデータの再生処理を再開し、次の第２料理過程に対応する表示用データ及び音声データを表示部１５及び音声出力部２４によって再生させる。また、システムコントロール部２０は、第２料理過程に対応する表示用データ及び音声データの再生が終了した場合、次の再生中断指示命令に従って、料理レシピデータの再生処理を中断し、中断した再生処理の再開指示の受付待ち状態となる。そして、システムコントロール部２０は、最後の料理過程に対応する表示用データ及び音声データの再生が終了するまで、料理レシピデータの再生処理及び中断処理を繰り返す。
【００４５】
以下に、コンテンツ提供装置１から配信されてアクセス先の携帯電話器２で表示される画像について説明する。ここで、図４（ａ）〜（ｄ）の各画像はそれぞれ、プログラム的な要素も含んでおり、表示される画像の選択可能項目がユーザの操作により携帯電話器２で選択されると、その項目が選択された旨がコンテンツ提供装置１へ通知される。例えば、図４（ａ）の画像で「２．６０分以内」が選択されると、「２．６０分以内」が選択された旨を示すデータが携帯電話器２からコンテンツ提供装置１へ送信される。
【００４６】
コンテンツ提供装置１は、外部からのアクセスに伴い送信されてきたデータに応じて対応するメニュー画像をＨＤＤ１３から読み出し、アクセス先の携帯電話器２へ送信する処理を行なう。具体的には、制御部１０は、携帯電話器２から送信された「２．６０分以内」が選択された旨を示すデータに対応して、図４（ｂ）に示すようなメニュー画像をＨＤＤ１３から読み出して携帯電話器２へ送信する。
【００４７】
上述した構成のコンテンツ提供システム１００において、携帯電話器２のユーザが、コンテンツ提供装置１によって提供される料理レシピデータを取得するために操作部２６の所定の操作ボタンを操作した場合、システムコントロール部２０は、第１メモリ部２１に記憶してある通信プログラム及びブラウザプログラムを実行し、ユーザにより指定された料理レシピ配信サイトにアクセスする。なお、携帯電話器２は、料理レシピ配信サイトへアクセスする場合、第１メモリ部２１に記憶してある機種名及び電話番号をアクセス先のＷｅｂサイト、ここではコンテンツ提供装置１へ送信する。
【００４８】
コンテンツ提供装置１は、携帯電話器２からの機種名及び電話番号を通信インタフェース１４により受信することにより、制御部１０は、Ｗｅｂサイトの要求を受け付け、受け付けた要求に対応するメニュー画像をＨＤＤ１３から読み出して通信インタフェース１４から携帯電話器２へ提供する。具体的には、コンテンツ提供装置１は、まず、アクセスされた料理レシピ配信サイトのトップページとして図４（ａ）に示すメニュー画像を携帯電話器２へ送信する。
【００４９】
図４（ａ）に示すメニュー画像は「１．３０分以内」「２．６０分以内」「３．９０分以内」を表記してユーザによる料理所要時間（料理時間）の選択を促す。携帯電話器２のユーザが「１．３０分以内」を選択した場合、コンテンツ提供装置１の制御部（要求受付手段）１０は、料理所要時間が３０分である料理レシピデータの要求を受け付ける。また、制御部（検索手段）１０は、受け付けた要求に対応する料理レシピデータ、具体的には料理所要時間が３０分である料理レシピデータを、ＨＤＤ１３の料理レシピＤＢに基づいて検索し、検索した料理レシピデータからユーザが所望する料理レシピデータの選択を受け付けるための選択画面として、料理所要時間が３０分以内としてある料理名を表記するメニュー画像（図示せず）を携帯電話器２へ送信する。
【００５０】
図４（ａ）に示すメニュー画像において、ユーザが「２．６０分以内」を選択した場合、コンテンツ提供装置１の制御部１０は、料理所要時間が６０分である料理レシピデータを、ＨＤＤ１３の料理レシピＤＢに基づいて検索し、図４（ｂ）に示すメニュー画像を携帯電話器２へ送信する。図４（ｂ）に示すメニュー画像は、料理所要時間が３０分以上６０分以内としてある料理名を表記し、ユーザによる料理の選択を促す。具体的に、図４（ｂ）に示すメニュー画像は「１．ハンバーグ」「２．ロールキャベツ」「３．カレー」を表記する。
【００５１】
携帯電話器２のユーザは、図４（ｂ）に示すメニュー画像において、例えば「１．ハンバーグ」を選択した場合、コンテンツ提供装置１の制御部（選択受付手段）１０は、上述のように検索した料理レシピデータからのユーザによる選択を受け付け、図４（ｃ）に示すメニュー画像を携帯電話器２へ送信する。図４（ｃ）に示すメニュー画像は、ユーザにより選択されたハンバーグの料理所要時間及び４人前の材料を表記し、ハンバーグについての料理レシピデータのダウンロードを促す。
【００５２】
一方、図４（ａ）に示すメニュー画像において、ユーザが「３．９０分以内」を選択した場合、コンテンツ提供装置１は、料理所要時間が６０以上９０分以内としてある料理名を表記するメニュー画像（図示せず）を携帯電話器２へ送信する。また、図４（ｂ）に示すメニュー画像において、ユーザが「２．ロールキャベツ」又は「３．カレー」を選択した場合、コンテンツ提供装置１は、それぞれ選択されたロールキャベツ又はカレーの料理所要時間及び４人前の材料を表記し、ロールキャベツ又はカレーについての料理レシピデータのダウンロードを促すメニュー画像（図示せず）を携帯電話器２へ送信する。
【００５３】
図４（ｃ）に示すメニュー画像において、ユーザが「ダウンロード」を選択した場合、携帯電話器２のシステムコントロール部２０は、自身の機種名及び電話番号と、ダウンロードを要求する料理レシピを示すレシピ番号とをコンテンツ提供装置１へ送信する。コンテンツ提供装置１は、携帯電話器２から受信した機種名及びレシピ番号に対応する料理レシピデータをＨＤＤ１３から読み出し、携帯電話器２へ送信する。コンテンツ提供装置１は、ダウンロード用データである料理レシピデータの送信終了後、図４（ｄ）に示すメニュー画像を携帯電話器２へ送信する。
【００５４】
携帯電話器２は、コンテンツ提供装置１から提供される料理レシピデータを第２メモリ部２２の所定領域に順次記憶させ、記憶処理終了後に図４（ｄ）に示すメニュー画像を表示させる。コンテンツ提供装置１からの料理レシピデータのダウンロードが終了した場合、ユーザは携帯電話器２のコンテンツ提供装置１との通信を終了する。
【００５５】
ここで、本実施形態のコンテンツ提供装置１が提供する料理レシピデータは、図３（ｂ）に示したように、料理品を完成させるまでの手順を複数の料理過程に分割し、各料理過程に対応して、各材料、各材料の分量、各材料の料理方法等を画像表示及び音声出力するための表示用データ及び音声データのほか、各料理過程間のそれぞれに、各料理過程の表示用データ及び音声データの再生が終了した場合に料理レシピデータの再生処理を中断させる再生中断指示命令を含んでいる。
【００５６】
再生中断指示命令は、携帯電話器２にダウンロードされた料理レシピデータを構成する１つの料理過程の表示用データ及び音声データが再生された場合に、再生終了後に自動的にシステムコントロール部２０によって実行されるプログラムである。従って、システムコントロール部２０は、１つの料理過程に対応する表示用データ及び音声データが再生され、表示部２５での画像表示及び音声出力部２４での音声出力が終了した場合に、この再生中断指示命令に従って、料理レシピデータの再生処理を一旦中断する。また、システムコントロール部２０は、この再生中断指示命令に従って、ユーザが操作部２６を操作することによる再開指示を受け付けた場合、中断していた料理レシピデータの再生処理を再開させ、次の料理過程に対応する表示用データ及び音声データの再生を開始する。
【００５７】
以下に、上述した料理レシピデータの携帯電話器２による再生処理について説明する。料理レシピデータをダウンロードした携帯電話器２において、ユーザが操作部２６の所定の操作ボタンを操作することにより、システムコントロール部２０が料理レシピデータの再生指示を受け付けた場合、図５（ａ）に示す料理レシピ一覧を表示部２５に表示する。図５（ａ）に示すメニュー画像は、携帯電話器２が既にダウンロードした料理レシピデータの料理名を表記し、再生させる料理レシピデータの選択を要求する。
【００５８】
図５（ａ）に示すメニュー画像において、ユーザが所望の料理を選択して操作部２６の確定ボタンを操作した場合、システムコントロール部２０は、ユーザにより選択された料理の材料を第２メモリ部２２から読み出し、図５（ｂ）に示すような材料一覧を表示部２５に表示する。図５（ａ）において、ユーザは「３．ハンバーグ」を選択しており、これにより、システムコントロール部２０は、ハンバーグの材料を第２メモリ部２２から読み出し、図５（ｂ）に示すように、ハンバーグの材料一覧を表示する。なお、図５（ｂ）に示すメニュー画像は、ハンバーグの材料一覧のほか、ハンバーグの料理レシピデータの再生処理を開始する指示を要求しており、ユーザが「料理開始」ボタンを選択して確定ボタンを操作した場合、システムコントロール部２０は、料理レシピデータの再生処理を開始する。
【００５９】
具体的には、システムコントロール部２０は、第２メモリ部２２に記憶してあるハンバーグの料理レシピデータから、最初の料理過程である「玉ねぎをみじん切りにします」を示す画像表示及び音声出力するための表示用データ及び音声データを読み出し、それぞれ表示部２５及び音声出力部２４へ転送して再生させる。図５（ｃ）には、最初の料理過程である「玉ねぎをみじん切りにします」の画像表示例を示しており、このような画像表示を表示部２５で行なうと共に音声出力させる。
【００６０】
この画像表示及び音声出力が終了した場合、システムコントロール部２０は、料理レシピデータに含まれる再生中断指示命令に従って、料理レシピデータの再生処理を中断し、表示部２５の表示画面の下部に「戻る」ボタン及び「次へ」ボタンを表示する。なお、標準状態では「次へ」ボタンが選択されている。一方、ユーザは、このような画像表示及び音声出力に従って料理作業（玉ねぎのみじん切り）を行なっており、料理作業が終了した場合、操作部２６の確定ボタンを操作することにより「次へ」ボタンを操作する。なお、前の手順に戻りたい場合、ユーザは「戻る」ボタンを操作する。
【００６１】
ユーザが「次へ」ボタンを操作した場合、システムコントロール部２０は、中断していた料理レシピデータの再生処理の再開指示を受け付け、次の料理過程である「みじん切りにした玉ねぎをサラダ油少量で色づくまで炒めます」を示す画像表示及び音声出力するための表示用データ及び音声データを第２メモリ部２２から読み出し、それぞれ表示部２５及び音声出力部２４へ転送して再生させる。図５（ｄ）には、次の料理過程である「みじん切りにした玉ねぎをサラダ油少量で色づくまで炒めます」の画像表示例を示しており、このような画像表示を表示部２５で行なうと共に音声出力させる。
【００６２】
また同様に、この画像表示及び音声出力が終了した場合、システムコントロール部２０は、再生中断指示命令に従って料理レシピデータの再生処理を中断し、ユーザが料理作業を終了して操作部２６の確定ボタンを操作した場合に、更に次の料理過程に対応して画像表示及び音声出力するための表示用データ及び音声データを第２メモリ部２２から読み出し、それぞれ表示部２５及び音声出力部２４へ転送して再生させる。
【００６３】
上述したように、ユーザが各メニュー画像において「次へ」ボタンを操作することにより、システムコントロール部２０は、料理レシピデータの各料理過程に対応する表示用データ及び音声データを画像表示及び音声出力させることができ、最後の料理過程の再生指示を受け付けた場合、最後の料理過程である「ハンバーグにソースをかけ、じゃがいも・にんじん・クレソンを添えて完成です」を示す画像表示及び音声出力するための表示用データ及び音声データを第２メモリ部２２から読み出し、それぞれ表示部２５及び音声出力部２４へ転送して再生させる。図５（ｅ）には、最後の料理過程である「ハンバーグにソースをかけ、じゃがいも・にんじん・クレソンを添えて完成です」の画像表示例を示しており、このような画像表示及び音声出力が終了した場合、システムコントロール部２０は、ユーザが「終了」ボタンを操作することにより上述した処理の終了指示を受け付け、一連の処理を終了する。
【００６４】
以下に、上述した構成のコンテンツ提供システム１００において、コンテンツ提供装置１が携帯電話器２からの要求に従って料理レシピデータを提供する処理について説明する。図６は実施形態１のコンテンツ提供装置１による料理レシピデータの提供処理の手順を示すフローチャートである。なお、以下の処理は、携帯電話器２の第１メモリ部２１及び第２メモリ部２２に記憶してある制御プログラムに従ってシステムコントロール部２０が実行すると共に、コンテンツ提供装置１のＲＯＭ１１に記憶してある制御プログラムに従って制御部１０が実行する。
【００６５】
先ず、携帯電話器２のユーザは所望の料理レシピデータを取得するために、携帯電話器２でコンテンツ提供装置１がネットワーク３で公開するＷｅｂサイトにアクセスする（Ｓ１）。コンテンツ提供装置１の制御部１０は、アクセスされたＷｅｂサイトのトップページとして図４（ａ）に示すメニュー画像をＨＤＤ１３から読み出してアクセス先の携帯電話器２へ送信する（Ｓ２）。携帯電話器２のシステムコントロール部２０は、コンテンツ提供装置１から受信したメニュー画像を表示部２５に表示させる（Ｓ３）。
【００６６】
システムコントロール部２０は、表示部２５に表示されるメニュー画像中の選択可能項目がユーザの操作により選択されたか否かを判断しており（Ｓ４）、選択可能項目、具体的には図４（ａ）における「１．３０分以内」「２．６０分以内」「３．９０分以内」のいずれかが選択されたと判断した場合（Ｓ４：ＹＥＳ）、選択された項目を示すデータをコンテンツ提供装置１へ送信する（Ｓ５）。なお、システムコントロール部２０は、選択可能項目が選択されていないと判断した場合（Ｓ４：ＮＯ）、いずれかの項目が選択されるまで待機する。
【００６７】
コンテンツ提供装置１の制御部１０は、携帯電話器２から受信するデータに基づいて、メニュー画像が要求されているか否かを判断し（Ｓ６）、メニュー画像が要求されていると判断した場合（Ｓ６：ＹＥＳ）、対応するメニュー画像をＨＤＤ１３から読み出して携帯電話器２へ送信する（Ｓ７）。携帯電話器２のシステムコントロール部２０は、コンテンツ提供装置１から受信したメニュー画像を表示部２５に表示させ（Ｓ８）、ステップＳ４へ処理を移行する。
【００６８】
なお、携帯電話器２のシステムコントロール部２０が、上述したステップＳ４〜Ｓ８の処理を繰り返すことにより、図４（ｃ）に示すように、ユーザが選択した所望の料理レシピデータのダウンロードを要求するためのメニュー画像を表示部２５に表示させることができる。またユーザは、図４（ｃ）に示すメニュー画像において、所望する料理レシピデータのダウンロードを要求する場合「ダウンロード」を選択して設定ボタンを操作する。
【００６９】
コンテンツ提供装置１の制御部１０は、ステップＳ６でメニュー画像が要求されていないと判断した場合（Ｓ６：ＮＯ）、料理レシピデータのダウンロードが要求されたか否かを判断し（Ｓ９）、ダウンロードを要求されていないと判断した場合（Ｓ９：ＮＯ）、ステップＳ６へ処理を移行する。制御部１０は、ダウンロードが要求されたと判断した場合（Ｓ９：ＹＥＳ）、携帯電話器２から受信していた機種名及び選択された料理レシピデータに対応するダウンロード用データをＨＤＤ１３から読み出して携帯電話器２へ送信し、次いで図４（ｄ）に示すメニュー画像をＨＤＤ１３から読み出して携帯電話器２へ送信する（Ｓ１０）。
【００７０】
携帯電話器２のシステムコントロール部２０は、コンテンツ提供装置１から受信したダウンロード用の料理レシピデータを第２メモリ部２２に記憶させ（Ｓ１１）、記憶処理終了後に図４（ｄ）に示すメニュー画像を表示部２５に表示させ（Ｓ１２）、その後、コンテンツ提供装置１との通信を終了し、上述した処理を終了する。このように、本実施形態のコンテンツ提供システム１００において、コンテンツ提供装置１は、ダウンロード用の料理レシピデータを、料理所要時間に基づいて提供することができる。
【００７１】
以下に、上述したようにコンテンツ提供装置１からダウンロードした料理レシピデータを携帯電話器２で再生させる処理について説明する。図７は実施形態１の携帯電話器２による料理レシピデータの再生処理の手順を示すフローチャートである。なお、以下の処理は、携帯電話器２の第１メモリ部２１及び第２メモリ部２２に記憶してある制御プログラムに従ってシステムコントロール部２０が実行する。
【００７２】
携帯電話器２のユーザは、第２メモリ２２に記憶してある料理レシピデータの再生処理を行ないたい場合、操作部２６の所定の操作ボタンを操作する。携帯電話器２のシステムコントロール部２０は、それぞれの料理レシピデータを示す料理名を第２メモリ２２から読み出して図５（ａ）に示すような料理レシピ一覧を表示する（Ｓ２１）。ユーザは、表示された料理レシピ一覧から所望の料理を選択して操作部２６の確定ボタンを操作する。システムコントロール部２０は、ユーザにより確定ボタンが操作されたか否かを判断し（Ｓ２２）、操作されていないと判断した場合（Ｓ２２：ＮＯ）、確定ボタンが操作されるまで待機する。
【００７３】
システムコントロール部２０は、ユーザにより確定ボタンが操作されたと判断した場合（Ｓ２２：ＹＥＳ）、ユーザにより選択された料理の材料を第２メモリ部２２から読み出して図５（ｂ）に示すような材料一覧を表示する（Ｓ２３）。ユーザは、表示された材料一覧に基づいて全ての材料が揃っているかを確認し、料理を開始できる場合には「料理開始」ボタンを操作する。システムコントロール部２０は、ユーザにより「料理開始」ボタンが操作されたか否かを判断し（Ｓ２４）、操作されていないと判断した場合（Ｓ２４：ＮＯ）、「料理開始」ボタンが操作されるまで材料一覧の表示を続行する（Ｓ２３）。
【００７４】
システムコントロール部２０は、ユーザにより「料理開始」ボタンが操作されたと判断した場合（Ｓ２４：ＹＥＳ）、ステップＳ２２で選択された料理における料理レシピデータの最初の料理過程に対応する表示用データ及び音声データを第２メモリ部２２から読み出して再生する（Ｓ２５）。具体的には、読み出した表示用データを表示部２５へ転送して図５（ｃ）に示すような画面表示を行なうと共に、読み出した音声データを音声出力部２４へ転送して音声出力させる。
【００７５】
システムコントロール部２０は、再生させた料理過程の再生終了後に実行される再生中断指示命令を実行するか否かを判断しており（Ｓ２６）、再生中断指示命令を実行しないと判断した場合（Ｓ２６：ＮＯ）、終了していない料理過程の再生を続行する（Ｓ２５）。システムコントロール部２０は、再生させた最初の料理過程の再生が終了して、再生中断指示命令を実行すると判断した場合（Ｓ２６：ＹＥＳ）、再生中断指示命令に従って料理レシピデータの再生処理を中断し（Ｓ２７）、表示部２５の表示画面の「次へ」をユーザによって選択されることにより、中断した料理レシピデータの再生処理の再開指示を受け付けたか否かを判断する（Ｓ２８）。
【００７６】
システムコントロール部２０は、料理レシピデータの再生処理の再開指示を受け付けたと判断した場合（Ｓ２８：ＹＥＳ）、ステップＳ２５へ処理を移行し、次の料理過程に対応する表示用データ及び音声データを第２メモリ部２２から読み出して再生する（Ｓ２５）。システムコントロール部２０は、料理レシピデータの各料理過程の再生処理が終了する都度、料理レシピデータの再生処理を中断し、再開指示を受け付ける都度、上述したように対応する料理過程の表示用データ及び音声データを第２メモリ部２２から読み出して再生処理を開始する。
【００７７】
ステップＳ２８で、システムコントロール部２０は、再開指示を受け付けないと判断した場合（Ｓ２８：ＮＯ）、例えば、図５（ｅ）に示すように最後の料理過程を示す表示画面においてユーザによる「終了」ボタンの操作、又はユーザによる操作部２６の終了ボタン等の操作により、料理レシピデータの再生処理の終了が指示されたか否かを判断する（Ｓ２９）。システムコントロール部２０は、再生処理の終了が指示されていないと判断した場合（Ｓ２９：ＮＯ）、ステップＳ２７へ処理を戻し、再生処理の終了が指示された場合（Ｓ２９：ＹＥＳ）、上述した処理を終了する。
【００７８】
上述したように、ネットワーク３を介してコンテンツ提供装置１からダウンロードした料理レシピデータを携帯電話器２で再生させる際に、料理レシピデータの各料理過程の表示用データ及び音声データの再生が終了する都度、料理レシピデータの再生処理を中断するため、各ユーザは、料理レシピデータの中断中に、自身のペースで各料理作業を行なうことができる。また、携帯電話器２がユーザからの再開指示を受け付けた場合に、中断していた料理レシピデータの再生処理を再開し、次の料理過程の再生処理を開始することにより、各ユーザは自身のペースで各料理過程の表示用データ及び音声データの再生を行なうことができる。
【００７９】
（実施形態２）
上述した実施形態１では、コンテンツ提供装置１からダウンロードした料理レシピデータを再生する携帯電話機２は、ユーザが操作部２６の確定ボタンを操作することにより、中断中の料理レシピデータの再生処理の再開指示を受け付ける構成について説明したが、料理中のユーザによる携帯電話器２の操作は不衛生であり、また、ユーザが携帯電話器２を操作する際に逐次手洗いをする場合には料理手間以外の手間を要する。
【００８０】
そこで、本実施形態２の携帯電話器２は、ユーザが所定の音声（例えば「次へ」）を発することにより中断中の料理レシピデータの再生処理の再開指示を受け付けるように構成されている。なお、本実施形態２のコンテンツ提供システム１００を構成するコンテンツ提供装置１及び携帯電話器２は、上述した実施形態１のコンテンツ提供装置１及び携帯電話器２と同一の構成を有するため説明を省略する。
【００８１】
また、本実施形態２のコンテンツ提供装置１が提供する料理レシピデータも、上述した実施形態１で示した料理レシピデータと同様であり、料理品を完成させるまでの手順を複数の料理過程に分割し、各料理過程に対応して、各材料、各材料の分量、各材料の料理方法等を画像表示及び音声出力するための表示用データ及び音声データと、各料理過程間のそれぞれに、各料理過程の表示用データ及び音声データの再生が終了した場合に料理レシピデータの再生処理を中断させる再生中断指示命令とを含む。
【００８２】
本実施形態２では、このような料理レシピデータを携帯電話器２が再生する場合、システムコントロール部２０はまず、料理レシピデータの第１料理過程に対応する表示用データ及び音声データを表示部１５及び音声出力部２４によって再生させ、この再生が終了した場合、再生中断指示命令に従って、料理レシピデータの再生処理を中断する。システムコントロール部２０は、音声入力部２３から所定の音声が入力されることによる、中断した再生処理のユーザからの再開指示を受け付けた場合に、料理レシピデータの再生処理を再開し、次の第２料理過程に対応する表示用データ及び音声データを表示部１５及び音声出力部２４によって再生させる。
【００８３】
また、システムコントロール部２０は、第２料理過程に対応する表示用データ及び音声データの再生が終了した場合、再生中断指示命令に従って、料理レシピデータの再生処理を中断し、中断した再生処理の再開指示の受付待ち状態となる。そして、システムコントロール部２０は、最後の料理過程に対応する表示用データ及び音声データの再生が終了するまで、料理レシピデータの再生処理及び中断処理を繰り返す。
【００８４】
以下に、実施形態２の携帯電話器２による料理レシピデータの再生処理について説明する。料理レシピデータをダウンロードした携帯電話器２において、ユーザが操作部２６の所定の操作ボタンを適宜操作することにより、図５（ｂ）に示すような材料一覧から料理レシピデータの再生処理の開始を指示した場合、システムコントロール部２０は、最初の料理過程に対応する表示用データ及び音声データを第２メモリ部２２から読み出し、図５（ｃ）に示す「玉ねぎをみじん切りにします」の画像表示及び音声出力を行なう。
【００８５】
この画像表示及び音声出力が終了した場合、システムコントロール部２０は、料理レシピデータに含まれる再生中断指示命令に従って、料理レシピデータの再生処理を中断し、音声入力部２３から所定の音声（例えば「次へ」）の入力待ち状態となる。一方、ユーザは、このような画像表示及び音声出力に従って料理作業（玉ねぎのみじん切り）を行なっており、料理作業が終了した場合、音声入力部２３に向かって「次へ」を発する。なお、ユーザが「戻る」と発することにより前の手順に戻るように構成してもよい。
【００８６】
ユーザが「次へ」と発した場合、システムコントロール部２０は、中断していた料理レシピデータの再生処理の再開指示を受け付け、次の料理過程に対応する表示用データ及び音声データを第２メモリ部２２から読み出し、図５（ｄ）に示す「みじん切りにした玉ねぎをサラダ油少量で色づくまで炒めます」の画像表示及び音声出力を行なう。また同様に、この画像表示及び音声出力が終了した場合、システムコントロール部２０は、再生中断指示命令に従って料理レシピデータの再生処理を中断し、音声入力部２３から所定の音声「次へ」の入力待ち状態となる。更に、システムコントロール部２０は、ユーザが料理作業を終了して音声入力部２３に向かって「次へ」を発した場合に、更に次の料理過程に対応して画像表示及び音声出力するための表示用データ及び音声データを第２メモリ部２２から読み出し、それぞれ表示部２５及び音声出力部２４へ転送して再生させる。
【００８７】
上述したように、ユーザが各メニュー画像において「次へ」を発することにより、システムコントロール部２０は、料理レシピデータの各料理過程に対応する表示用データ及び音声データを画像表示及び音声出力させることができる。また、図５（ｅ）に示す最後の料理過程である「ハンバーグにソースをかけ、じゃがいも・にんじん・クレソンを添えて完成です」の画像表示及び音声出力が終了した場合、システムコントロール部２０は、ユーザが「終了」と発することにより上述した処理の終了指示を受け付け、一連の処理を終了する。
【００８８】
上述したように、ネットワーク３を介してコンテンツ提供装置１からダウンロードした料理レシピデータを再生させる携帯電話器２が、料理レシピデータの各料理過程の再生終了後に中断する料理レシピデータをユーザによる所定音声の発生によって再開させることにより、各ユーザは、自身のペースで各料理過程の再生を行なうことができると共に、携帯電話器２を操作する必要がなく、料理作業に集中することができる。
【００８９】
上述した実施形態１では、ユーザによる操作部２６の操作によって、中断中の料理レシピデータの再生処理の再開指示を受け付ける構成を例として説明し、本実施形態２では、ユーザからの音声入力によって、中断中の料理レシピデータの再生処理の再開指示を受け付ける構成を例として説明したが、両方の構成を備え、ユーザがいずれかの操作を行なうことにより再開指示を受け付けるように構成することもできる。
【００９０】
上述した実施形態１，２のコンテンツ提供システム１００において、携帯電話器２がコンテンツ提供装置１からダウンロードする料理レシピデータを選択する場合に、料理所要時間を利用したが、例えば、料理名、材料、料理方法等のキーワードによって検索する構成としてもよい。また、コンテンツ提供装置１からダウンロードした料理レシピデータに含まれる表示用データは、図５に示すような静止画データに限られず動画データとしてもよい。更に、料理レシピデータの再生処理の中断中において各種の画像を表示させてもよく、料理レシピデータに含まれる音声データに、表示部２５に表示させる表示用データが示す事項以外のメッセージ、及びＢＧＭとしての楽曲データを含ませてもよい。
【図面の簡単な説明】
【００９１】
【図１】本発明に係るコンテンツ提供システムの構成例を示す模式図である。
【図２】本実施形態のコンテンツ提供装置及び携帯電話器の内部構成例を示すブロック図である。
【図３】（ａ）は料理レシピデータベースの構成例を示す模式図、（ｂ）は料理レシピデータの構成例を示す模式図である。
【図４】メニュー画像を示す模式図である。
【図５】携帯電話器の画像表示例を示す模式図である。
【図６】実施形態１のコンテンツ提供装置による料理レシピデータの提供処理の手順を示すフローチャートである。
【図７】実施形態１の携帯電話器による料理レシピデータの再生処理の手順を示すフローチャートである。
【符号の説明】
【００９２】
１００  コンテンツ提供システム
１  コンテンツ提供装置（データ提供装置）
１３  ＨＤＤ（記憶部）
１４  通信インタフェース（接続部）
２ａ〜２ｍ  携帯電話器（通信装置）
２３  音声入力部
２４  音声出力部（再生手段）
２５  表示部（再生手段）
２６  操作部
２７  通信部
３  ネットワーク
４ａ〜４ｎ  中継基地局
【図１】
2006072559.tif 000003
【図２】
2006072559.tif 000004
【図３】
2006072559.tif 000005
【図４】
2006072559.tif 000006
【図５】
2006072559.tif 000007
【図６】
2006072559.tif 000008
【図７】
2006072559.tif 000009